(57)【要約】      （修正有）【課題】植物の光合成に必要な色温度を提供でき、こうして植物の生長はより速くなり、開花はより盛んになり、同時に節電、使用の安全性、長寿命などの長所を備える植物育成灯を提供する。【解決手段】植物育成灯は、基板２０、発光体２１を備え、基板２０上に複数の接点２０１を設置し、発光体２１は封入技術により基板２０と組み合わせて固定され、基板２０上の接点２０１の一部と通電し、発光体２１は多層光放射電力及び連続スペクトラムを備え、さまざまな強度の光を発することができるＬＥＤチップ２２で、ＬＥＤチップ２２の光は赤外線帯２２１、紫外線帯２２２、青色光帯２２３、緑色光帯２２４、黄色光帯２２５を含む。【選択図】図２
0003171248.tif 000002
【実用新案登録請求の範囲】
【請求項１】
室内の電源に挿入、接続して、使用し、
前記植物育成灯は、基板、発光体を備え、
前記基板上には、複数の接点を設置し、
前記発光体は、封入技術により、前記基板と組み合わせて固定され、前記基板上の接点の一部と通電し、
前記発光体は、多層光放射電力及び連続スペクトラムを備え、さまざまな強度の光を発することができるLEDチップで、
前記LEDチップの光は、赤外線帯、紫外線帯、青色光帯、緑色光帯、黄色光帯を含み、これにより植物の光合成に必要な色温度を提供することを特徴とする植物育成灯。
【請求項２】
前記赤外線帯のスペクトラム波長は７０５ｎｍ、放射電力は１００ｍＷ／Ｍで、葉物野菜類への照射に適していることを特徴とする請求項１に記載の植物育成灯。
【請求項３】
前記紫外線帯のスペクトラム波長は４２５ｎｍ、放射電力は３５ｍＷ／Ｍで、葉物野菜類への照射に適していることを特徴とする請求項１に記載の植物育成灯。
【請求項４】
前記青色光帯のスペクトラム波長は４５５ｎｍ、放射電力は１６０ｍＷ／Ｍで、葉物野菜類への照射に適していることを特徴とする請求項１に記載の植物育成灯。
【請求項５】
前記緑色光帯のスペクトラム波長は４９５ｎｍ、放射電力は９０ｍＷ／Ｍで、葉物野菜類への照射に適していることを特徴とする請求項１に記載の植物育成灯。
【請求項６】
前記LEDチップの光はさらに、黄色光帯を含み、そのスペクトラム波長は５９５ｎｍ、放射束は少なくとも５ｍＷ／Ｍで、これにより太陽光の色を模倣する配色を３２００ｋ増加させることができ、こうして昆虫を抑制する効果を備えることを特徴とする請求項１に記載の植物育成灯。
【請求項７】
前記植物育成灯はさらに、ランプシェードを備え、その内側には、光反射面を設置し、前記発光体が発する光を集中させられることを特徴とする請求項１に記載の植物育成灯。
【請求項８】
前記ランプシェードは、熱発散性に優れた材質を採用することを特徴とする請求項７に記載の植物育成灯。
【請求項９】
前記ランプシェードの上方にはさらに、規格サイズのコネクターを設置し、
前記コネクターには、接点を設置し、発光体及び室内の電源配線と通電し、しかもその外部には、ネジヤマを設置するため、既存の電源ソケットに螺合して設置することができることを特徴とする請求項８に記載の植物育成灯。
【請求項１０】
前記基板と前記発光体との間にはさらに、パワーサプライを設置することを特徴とする請求項１に記載の植物育成灯。
【考案の詳細な説明】
【技術分野】
【０００１】
本考案は植物育成灯に関し、特に体積が小さいため室内に取り付けでき、植物の生長に有利な照射を提供可能で、これにより植物の葉と茎の緑、及び開花を効果的に促進することができ、同時に節電、使用の安全性、長寿命などの長所を備える植物育成灯に関する。
【背景技術】
【０００２】
室内に設置し、植物に光を照射する従来の植物育成灯は、日射を模倣する光源として、一般の蛍光灯、或いは白熱灯を採用している。
しかし、一般の蛍光灯は、照射の輝度が不十分で、植物の生長に好ましくない。
一方、白熱灯が生じる可視光線は、赤外線だけであるため、植物の開花にプラスの作用はあるが、植物の葉の緑及び生長を促す効果はない。
【０００３】
植物の光合成は主に光の量と光の強度の影響を受け、植物は、その葉緑体中の葉緑素により、可視光線(赤、オレンジ、黄、緑、青、紫)中の有効な光源を吸収し、光合成を行う。
しかし、従来の白熱灯は、可視光線中の赤外線を提供できるのみであるため、植物の開花時に益をもたらすだけである。
その一方、植物の生長過程では、葉に、利益となる光源を照射し、光合成を促すことができないため、生長が緩慢になってしまう。
さらに、白熱灯は集光性が不十分で、有色光は輝度が低下し、ランプ本体が高温になり、ガラス製品であるため安全性に問題がある。
加えて、あまりにも多くの放射光を無駄にするなど、さまざまな欠点があり、植物に日照を提供する光源としては理想的ではない。
【０００４】
しかも、２１世紀に生きる我々はエネルギー危機に直面しており、またグリーンエネルギーと環境保護に注目が集まっている。
よって、従来の植物育成灯の欠点を改善し、植物の生長を促進できる新たな植物育成灯をいかにして具体的かつ効果的に開発するかは、急務の課題である。
本考案は、従来の植物育成灯の上記した欠点に鑑みてなされたものである。
【考案の概要】
【考案が解決しようとする課題】
【０００５】
本考案が解決しようとする課題は、単一の発光体で、多層光の放射電力を提供し、植物が光合成を行うために必要な可視光線中の光を照射することができ、この効果的な照射により植物の葉、茎の生長と開花は促進され、同時に節電、使用の安全性、長寿命などの長所を備える植物育成灯を提供することである。
【課題を解決するための手段】
【０００６】
上記課題を解決するため、本考案は下記の植物育成灯を提供する。
植物育成灯は、基板、発光体を備え、
該基板上には、複数の接点を設置し、
該発光体は、封入技術により、該基板と組み合わせて固定され、該基板上の接点の一部と通電し、多層光放射電力及び連続スペクトラムを備え、さまざまな強度の光を発することができるLED(Light Emitting Diode)チップで、
該LEDチップの光は、少なくとも赤外線帯、紫外線帯、青色光帯、緑色光帯、黄色光帯を含み、これにより植物の光合成に必要な色温度を提供でき、こうして植物の生長はより速くなり、開花はより盛んになり、
本考案を葉物野菜類への照射に用いる際には、赤外線帯のスペクトラム波長は７０５ｎｍ、放射電力は１００ｍＷ／Ｍで、
該紫外線帯のスペクトラム波長は４２５ｎｍ、放射電力は３５ｍＷ／Ｍで、
該青色光帯のスペクトラム波長は４５５ｎｍ、放射電力は１６０ｍＷ／Ｍで、
該緑色光帯のスペクトラム波長は４９５ｎｍ、放射電力は９０ｍＷ／Ｍで、
該LEDチップの光はさらに、黄色光帯を含み、そのスペクトラム波長は５９５ｎｍ、放射束は少なくとも５ｍＷ／Ｍで、これにより太陽光の色を模倣する配色を３２００ｋ増加させることができ、こうして昆虫を抑制する効果を備える。
【考案の効果】
【０００７】
本考案の植物育成灯は、単一の発光体で、多層光の放射電力を提供し、植物が光合成を行うために必要な可視光線中の光を照射することができ、この効果的な照射により植物の葉、茎の生長と開花は促進され、同時に節電、使用の安全性、長寿命などの長所を備える。
【図面の簡単な説明】
【０００８】
【図１】本考案植物育成灯の平面図である。
【図２】本考案植物育成灯のLEDチップにおける光配分を示す模式図である。
【考案を実施するための形態】
【０００９】
以下に図面を参照しながら本考案を実施するための最良の形態について詳細に説明する。
【００１０】
図１、２に示すように、本考案植物育成灯１は、基板２０、発光体２１を備え、ランプシェード３内に組み付ける。
【００１１】
ランプシェード３の上方には、パワーサプライ４、コネクター５を設置する。
コネクター５により、発光体２１及び室内の電源配線(図示なし)と通電し、しかもコネクター５外部には、ネジヤマを設置するため、既存の電源ソケットに螺合して設置し使用することができる。
ランプシェード３は、アルミ材などの熱発散性に優れた材質を採用し、内側には、光反射面を設置し、発光体２１が発する光を効果的に集中させることができる。
パワーサプライ４は、電圧を適度に調整することができる。
【００１２】
本考案は基板２０上に、複数の接点２０１を設置する。
発光体２１は、封入技術により、基板２０と組み合わせて固定され、基板２０上の接点２０１の一部と通電する。
これにより、多層光放射電力及び連続スペクトラム機能を備え、さまざまな強度の光を発することができる。
【００１３】
発光体２１は、LED(Light Emitting Diode)チップ２２を備える。
LEDチップ２２の光は、赤外線帯２２１、紫外線帯２２２、青色光帯２２３、緑色光帯２２４、黄色光帯２２５を含む。
これにより、植物の光合成に必要な色温度を提供することができ、こうして植物の生長はより速くなり、開花はより盛んになる。
【００１４】
本考案を葉物野菜類への照射に使用する際には、赤外線帯２２１のスペクトラム波長は７０５ｎｍ、放射電力は１００ｍＷ／Ｍで、紫外線帯２２２のスペクトラム波長は４２５ｎｍ、放射電力は３５ｍＷ／Ｍで、青色光帯２２３のスペクトラム波長は４５５ｎｍ、放射電力は１６０ｍＷ／Ｍで、緑色光帯２２４のスペクトラム波長は４９５ｎｍ、放射電力は９０ｍＷ／Ｍで、黄色光帯２２５のスペクトラム波長は５９５ｎｍ、放射電力は５ｍＷ／Ｍである。
これにより、太陽光の色を模倣する配色を３２００ｋ増加させることができ、また昆虫を抑制する効果をも備える。
上記した昆虫を抑制する強度は、実際の状況に応じて、黄色光帯２２５の放射束の数値を適当に調整する。
【００１５】
上記したように本考案LEDチップ２２の配色により提供される光において、赤外線帯２２１は、光合成作用を促進することができ、紫外線帯２２２は、生物の授粉識別作用を促進することができ、青色光帯２２３は、光子放射エネルギーを増加させられ、植物形態(高さ及び株の姿)の形成に有利で、緑色光帯２２４は、触媒作用を備え、植物の化学作用を促進することができ、黄色光帯２２５は、太陽光色を模倣する配色を拡大でき、これにより昆虫抑制の効果を備える。
すなわち上記したように、植物の光合成作用に必要な色温度を提供でき、こうして植物の生長をより速め、開花をより盛んにすることができる。
【００１６】
上記の本考案名称と内容は、本考案技術内容の説明に用いたのみで、本考案を限定するものではない。
上記は、本考案植物育成灯を、葉物野菜類に照射する実施例に過ぎず、本考案の精神に基づく等価応用或いは部品（構造）の転換、置換、数量の増減はすべて、本考案の保護範囲に含むものとする。
本考案LEDチップの光の配色は、根菜類野菜、潅木類植物など、照射しようとする対象に合わせて、最適な多層光放射電力及び連続スペクトラムに調整することができる。
【産業上の利用可能性】
【００１７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１８】
１  植物育成灯
２０  基板
２１  発光体
２２  LEDチップ
２２１  赤外線帯
２２２  紫外線帯
２２３  青色光帯
２２４  緑色光帯
２２５  黄色光帯
３  ランプシェード
４  パワーサプライ
５  コネクター
【図１】
0003171248.tif 000003
【図２】
0003171248.tif 000004